(57)【特許請求の範囲】
【請求項１】
堰堤を構築するための砂防用ブロックであって、平面が略菱形形状を呈し、各角部には該角部の角点を角点とする前記略菱形形状の該角点近傍の辺上に斜辺をもち、該略菱形形状の角点近傍の辺外側に直角頂部を有する、厚み方向に延在された等辺三角形状突部が形成されると共に、該等辺三角形状突部の下面にはそれぞれ脚部が突設され、且つ、表面側の中心部には略四角形状の角型凹部が形成されて成ることを特徴とする砂防用ブロック。
【請求項２】
前記等辺三角形状突部は、隣接する砂防用ブロックの等辺三角形状突部と当接したとき、
前記略菱形形状の角点近傍の等辺三角形状突部の斜辺を除く辺と該当接する砂防用ブロックの略菱形形状の角点近傍の等辺三角形状突部の斜辺を除く辺とが相互に斜め方向に密接するように形成されていることを特徴とする請求項１記載の砂防用ブロック。
【請求項３】
複数の砂防用ブロックが積み重ねられたとき、下段の砂防用ブロックの前記角型凹部には、上段の４個の砂防用ブロックのそれぞれ１個の前記脚部が一箇所に集合されて密に嵌入されることを特徴とする請求項２記載の砂防用ブロック。
【請求項４】
さらに、前記角型凹部の奥部には非貫通の円形穴が形成され、該円形穴の内部には、前記角型凹部の底面より突き出ないように吊り金具が固設されていることを特徴とする請求項３記載の砂防用ブロック。
【請求項５】
前記砂防用ブロックが積み重ねられて備蓄されたとき、上段の砂防用ブロックのそれぞれの脚部は、下段の砂防用ブロックの表面の天端に当接するように配置されることを特徴とする請求項４記載の砂防用ブロック。
【発明の詳細な説明】
【技術分野】
【０００１】
本発明は砂防用ブロックに関するものであり、特に、河川等における礫・土砂・土石流・火山流等を防止するための砂防堰堤の構築に供する砂防用ブロックに関するものである。
【背景技術】
【０００２】
従来より、砂防用ブロックなどを用いた砂防施設は、河床の縦侵食を防止して該河床の安定化を図ったり、河床堆積物の流出を防止したりするために広く施工されている。このような砂防施設は、山脚（斜面崩壊地末端部）を固定するための山脚固定や、護岸等の工作物の基礎を保護するための床固工、あるいは、河床の縦侵食防止、河床堆積物の流出防止、土石流の抑制又は抑止、流出土砂の抑制及び調整などを目的とした砂防堰堤などに利用され、その整備が進められている。また、近年、火山の噴火は３ケ月程度前より予知できるため、予知された周辺地域のストックヤードに砂防用ブロックを備蓄しておき、緊急時において砂防堰堤や床固工を必要な箇所に設置し、人家、耕地、あるいは公共施設等を保護する事業も進められている。また、火山噴出物によって推積した脆弱な地質による土石流災害などから住民を守るために砂防堰堤が有効に利用されている。
【０００３】
このような砂防堰堤や床固工の構築は、従来より、現場打ちコンクリート工法が多く用いられている。しかしながら、砂防堰堤や床固工を必要とする場所は、一般的に、山間部であって材料の運搬等が困難な場所であることが多く、且つ、工事用地も不足しているような箇所が多く見られる。また、このような砂防堰堤や床固工の構築地点は、土石流や落石等から作業員の安全を確保するために、無人化施工を要求される場合が多い。
【０００４】
一方、火山砂防の場合は、火山流の規模や方向が噴火の３ケ月前程度に予知できるため、短期間に防御施設を施工して完了させる必要がある。また、火山予知により危険地域と指定された場合は、その地域に人が立ち入れないために、無人化施工が要求される場合も多い。このような事情により現場打ちコンクリート工法に変わる新たな無人施工が求められている。このような要求に応えるためのプレキャストコンクリートブロックは、現場作業が少なく、且つ、短期間で砂防堰堤を構築できる無人化施工として広く利用されている。
【０００５】
このようなプレキャストコンクリートブロックによる砂防堰堤や床固工には、異形コンクリートブロックを乱積みにしたものや、層積みにしたものなどが存在する。また、表面だけをプレキャスト化して残存型枠とし、内部に現場打ちコンクリートを流し込むような工法も知られている。
【０００６】
このような異形コンクリートブロックとしては、上下のコンクリートの噛み合いをよくした平面突起型のコンクリートブロックが開示されている。（例えば、特許文献１参照）。また、表面に凹凸を有する直方体型（長方形型）の異形コンクリートブロックを組み合わせて堰堤を構築する技術も開示されている（例えば、特許文献２参照）。さらに、それぞれのコンクリートブロックに固着された連結部材を介して各コンクリートブロックを連結するコンクリート連結構造物の技術も開示されている（例えば、特許文献３参照）。このような異形コンクリートブロックを組み合わせて砂防堰堤や砂防ダムを構築することにより、強固なコンクリート構造物を構築することが可能となる。
【先行技術文献】
【特許文献】
【０００７】
【特許文献１】特公昭６３−２８１６１号公報
【特許文献２】特公平２−２２８０８号公報
【特許文献３】特開２００１−３２２３８号公報
【発明の概要】
【発明が解決しようとする課題】
【０００８】
しかしながら、上記の各公報に開示されたコンクリートブロックは、何れも、無人化施工や現場周辺に備蓄して移設施工することを想定していない。また、コンクリートブロックを吊り上げる場合には、該コンクリートブロックの吊点が多いために施工に手間がかかる。さらに、特許文献１に開示された平面突起型のコンクリートブロックは、各ブロックの上面と下面には噛み合せがあるものの、前後左右方向の面には噛み合せがないために、上流から流出する土石流や火山流に対して十分な抵抗力を発揮できないおそれがある。また、上下面方向についても、噛み合せの余裕シロがあるためにコンクリートブロックが微動するおそれがある。
【０００９】
また、特許文献２に開示された直方体型の異形コンクリートブロックについても、各ブロックには噛み合せがあるものの、前後方向の面には噛み合せがないために、上流から流出する土石流や火山流に対して十分な抵抗力を発揮できないおそれがある。さらに、特許文献３に開示されたコンクリート連結構造物は、連結部材を介してコンクリートブロックを一体化するための現場作業が多くなり、且つ現場の状況によっては材料の搬入等が困難となることがある。また、コンクリートの養生などに時間を要するなど、作業効率がよくない側面もある。
【００１０】
そこで、現場作業が省力化できて無人化施工に対応できるように1本吊りで施工でき、且つ、現場周辺への備蓄、持ち出し、及び緊急時の移設が容易にできるような強固な砂防用ブロックを実現させるために解決すべき技術的課題が生じてくるのであり、本発明はこの課題を解決することを目的とする。
【課題を解決するための手段】
【００１１】
本発明は上記目的を達成するために提案されたものであり、請求項１記載の発明は、堰堤を構築するための砂防用ブロックであって、平面が略菱形形状を呈し、各角部には該角部の角点を角点とする前記略菱形形状の該角点近傍の辺上に斜辺をもち、該略菱形形状の角点近傍の辺外側に直角頂部を有する、厚み方向に延在された等辺三角形状突部が形成されると共に、該等辺三角形状突部の下面にはそれぞれ脚部が突設され、且つ、表面側の中心部には略四角形状の角型凹部が形成されて成ることを特徴とする砂防用ブロックを提供する。
【００１２】
この構成によれば、砂防用ブロックは、平面が略菱形形状であって、その菱形形状のそれぞれの角部には、該角部の角点を角点とする前記略菱形形状の該角点近傍の辺上に斜辺をもち、該略菱形形状の角点近傍の辺外側に直角頂部を有する、厚み方向に延在された等辺三角形状突部が形成され、該等辺三角形状突部の下面にはそれぞれ脚部が突設され、且つ、砂防用ブロックの表面側の中心部には角型凹部が形成されている。このような平面が略菱形形状の砂防用ブロックの構成を採用することにより、砂防用ブロックを平面方向に並べながら上段に積み重ねたときに、相互に隣接する砂防用ブロックは、上下方向、前後方向、左右方向において強固に一体化されるので、堅牢且つ安定的な砂防堰堤を構築することができる。
【００１３】
請求項２記載の発明は、前記等辺三角形状突部は、隣接する砂防用ブロックの等辺三角形状突部と当接したとき、前記略菱形形状の角点近傍の等辺三角形状突部の斜辺を除く辺と該当接する砂防用ブロックの略菱形形状の角点近傍の等辺三角形状突部の斜辺を除く辺とが相互に斜め方向に密接するように形成されていることを特徴とする請求項１記載の砂防用ブロックを提供する。
【００１４】
この構成によれば、平面が略菱形形状の砂防用ブロックの４箇所の角部には
等辺三角形状突部が形成されるので、隣接する砂防用ブロックの等辺三角形状突部が相互に当接したとき、前記略菱形形状の角点近傍の等辺三角形状突部の斜辺を除く辺と該当接する砂防用ブロックの略菱形形状の角点近傍の等辺三角形状突部の斜辺を除く辺とが相互に斜め方向に密接する構成となる。従って、各砂防用ブロックを平面上に並べたときに隙間なく密に配列することができるので、強固な砂防堰堤を構築することが可能となる。
【００１５】
請求項３記載の発明は、複数の砂防用ブロックが積み重ねられたとき、下段の砂防用ブロックの前記角型凹部には、上段の４個の砂防用ブロックのそれぞれ１個の脚部が一箇所に集合されて密に嵌入されることを特徴とする請求項２記載の砂防用ブロックを提供する。
【００１６】
この構成によれば、砂防用ブロックを積み重ねたとき、上段の４個の砂防用ブロックのそれぞれ1個の脚が一箇所に集合されて、下段の１個の砂防用ブロックの角型凹部に一括して嵌まり込む状態となる。これによって、砂防用ブロックを所望の高さまで積み上げても安定化するので、高い砂防堰堤であっても堅牢に構築することができる。
【００１７】
請求項４記載の発明は、請求項３記載の発明の構成に加えて、さらに、前記角型凹部の奥部には非貫通の円形穴が形成され、該円形穴の内部には、前記角型凹部の底面より突き出ないように吊り金具が固設されていることを特徴とする請求項３記載の砂防用ブロックを提供する。
【００１８】
この構成によれば、砂防用ブロックには吊り金具が固設されているので、砂防堰堤を構築するときに、各砂防用ブロックを一本の吊り金具で吊り上げることができる。これによって、現場作業を省力化することができると共に、無人化施工にも対応することができる。さらに、前記吊り金具は、角型凹部の底面より突き出ないように固設されているので、砂防用ブロックを積み上げたときに、吊り金具が上段の砂防用ブロックに当たるおそれはない。
【００１９】
請求項５記載の発明は、前記砂防用ブロックが積み重ねられて備蓄されたとき、上段の砂防用ブロックのそれぞれの脚部は、下段の砂防用ブロックの表面の天端に当接するように配置されることを特徴とする請求項４記載の砂防用ブロックを提供する。
【００２０】
この構成によれば、砂防用ブロックを積み重ねて備蓄するとき、上段の砂防用ブロックのそれぞれの脚部は、下段の砂防用ブロックの表面の天端に当接するように配置されている。これにより、砂防堰堤の施工現場の周辺に多数の砂防用ブロックを安定的に積み上げて備蓄することができる。また、緊急時に移設できる状態で多数の砂防用ブロックを備蓄することができると共に、持ち出しを容易に行うことができる。
【発明の効果】
【００２１】
請求項１記載の発明は、平面が略菱形形状の砂防用ブロックの各角部には該角部の角点を共通の角点とする前記略菱形形状の該角点近傍の辺上に斜辺をもち、該略菱形形状の角点近傍の辺外側に直角頂部を有する、厚み方向に延在された等辺三角形状突部が形成され、該等辺三角形状突部の下面にはそれぞれ脚部が突設され、且つ、砂防用ブロックの表面側の中心部には角型凹部が形成されている。このような平面が略菱形形状の砂防用ブロックの構成を採用することにより、砂防用ブロックを平面方向に並べながら上段に積み重ねたときに、相互に隣接する砂防用ブロックは、上下方向、前後方向、左右方向において強固に一体化されるので、堅牢且つ安定的な砂防堰堤を構築することができる。
【００２２】
請求項２記載の発明は、隣接する砂防用ブロックの等辺三角形状突部は、
前記略菱形形状の角点近傍の等辺三角形状突部斜辺を除く辺と該当接する砂防用ブロックの略菱形形状の角点近傍の等辺三角形状突部斜辺を除く辺とが相互に斜め方向に密接するように構成されているので、請求項１記載の発明の効果に加えて、各砂防用ブロックを平面上に並べたときに隙間なく密に配列することができるため、強固な砂防堰堤を構築することが可能となる。
【００２３】
請求項３記載の発明は、砂防用ブロックを積み重ねたときに、上段の４個の砂防用ブロックのそれぞれ1個の脚が一箇所に集合されて下段の１個の砂防用ブロックの角型凹部に
一括して嵌まり込むので、請求項２記載の発明の効果に加えて、砂防用ブロックを所望の高さまで積み上げても安定化するので、高い砂防堰堤であっても堅牢に構築することができる。
【００２４】
請求項４記載の発明は、砂防用ブロックには吊り金具が固設されているので、請求項３記載の発明の効果に加えて、砂防用ブロックを一本の吊り金具で吊り上げることができるため、砂防堰堤を構築するときの現場作業を省力化することができると共に、無人化施工にも対応することができる。さらに、吊り金具は角型凹部の底面より突き出ないように固設されているので、砂防用ブロックを積み上げたときに、吊り金具が上段のブ砂防用ロックに当たるおそれはない。
【００２５】
請求項５記載の発明は、砂防用ブロックを積み重ねて備蓄するとき、上段の砂防用ブロックのそれぞれの脚部は、下段の砂防用ブロックの表面の天端に当接するように配置されているので、請求項４記載の発明の効果に加えて、施工現場の周辺に多数の砂防用ブロックを安定的に積み上げて備蓄することができると共に、緊急時に移設できる状態で多数の砂防用ブロックを備蓄することができ、且つ持ち出しを容易に行うことができる。
【図面の簡単な説明】
【００２６】
【図１】本発明の一実施例に係る砂防用ブロックの斜視図。
【図２】図１に示す砂防用ブロックの正面図。
【図３】図１に示す砂防用ブロックの平面図。
【図４】図１に示す砂防用ブロックの底面図。
【図５】図１に示す砂防用ブロックの左側面図。
【図６】砂防用ブロックの貫通孔に吊り金具を装着する状態を示し、（ａ）は平面図、（ｂ）は（ａ）のＡ−Ａ断面図、（ｃ）は（ａ）のＢ−Ｂ断面図。
【図７】砂防用ブロックの円形穴の下部に吊り金具を装着した状態を示す斜視図。
【図８】砂防用ブロックを並設したときの平面図。
【図９】砂防用ブロックを積み重ねる状態を示す説明図。
【図１０】砂防用ブロックを積層したときの平面図。
【図１１】図１０の正面図。
【図１２】図１０のＡ−Ａ断面図。
【図１３】砂防用ブロックを備蓄した状態を示し、（ａ）は平面図、（ｂ）は正面図。
【発明を実施するための形態】
【００２７】
本発明は、現場作業が省力化できて無人化施工に対応できるように１本吊りで施工でき、且つ、現場周辺への備蓄、持ち出し、及び緊急時の移設が容易にできるような強固な砂防用ブロックを実現させるという目的を達成するために、
堰堤を構築するための砂防用ブロックであって、平面が略菱形形状を呈し、各角部には該角部の角点を角点とする前記略菱形形状の該角点近傍の辺上に斜辺をもち、該略菱形形状の角点近傍の辺外側に直角頂部を有する、厚み方向に延在された等辺三角形状突部が形成されると共に、該等辺三角形状突部の下面にはそれぞれ脚部が突設され、且つ、表面側の中心部には略四角形状の角型凹部が形成され、その奥部には吊り金具を固設するように構成したことによって実現した。
【実施例１】
【００２８】
以下、本発明の好適な実施例を図１乃至図１３に従って詳細に説明する。図１は本発明の一実施例に係る砂防用ブロックの斜視図である。また、図２は図１に示す砂防用ブロックの正面図、図３は平面図、図４は底面図、図５は左側面図である。
【００２９】
図１の斜視図、及び図２乃至図５の各方面から見た図に示すように、本発明の一実施例に係る砂防用ブロック１は、全体として平面が略菱型状を呈している。そして、略菱型状
の砂防用ブロック１の各角部には、該砂防用ブロック１の厚み方向に延在された三角形状突部２ａ，２ｂ，２ｃ，２ｄが形成されている。さらに、該三角形状突部２ａ，２ｂ，２ｃ，２ｄの下面には、それぞれ、脚部３ａ，３ｂ，３ｃ，３ｄが突設されている。また、前記砂防用ブロック１の上面の中心部には、略四角形状の角形凹部４が形成されている。さらに、該中心部の角形凹部４の中央部分の下部には、非貫通の円形穴５が設けられている。
【００３０】
図６は、砂防用ブロックの円形穴に吊り金具を装着した状態を示し、（ａ）は平面図、（ｂ）は（ａ）のＡ−Ａ断面図、（ｃ）は（ａ）のＢ−Ｂ断面図である。また、図７は、砂防用ブロックの円形穴に吊り金具を装着した状態を示す斜視図である。
【００３１】
すなわち、図６（ａ）、（ｂ）、（ｃ）に示すように、砂防用ブロック１の円形穴５の下部には吊り金具６が設けられているが、該吊り金具６の頭部は略四角形状の角形凹部４の底面までは突き出ていない。尚、吊り金具６の下端は、両側に釣り針状に湾曲していて砂防用ブロック１と一体的に固着されている。
【００３２】
すなわち、図７に示すように、吊り金具６は砂防用ブロック１の円形穴５の内部に収納されていて、該吊り金具６の頭部は角形凹部４の底面までは突き出ていない。そのため、上段に積み重ねられた砂防用ブロック１の脚部３ａ，３ｂ，３ｃ，３ｄ（図１参照）が、下段の砂防用ブロック１の角形凹部４に収められたときに、上段の砂防用ブロック１の脚部３ａ，３ｂ，３ｃ，３ｄは、下段の砂防用ブロック１の吊り金具６に当接するおそれはない。
【００３３】
次に、砂防用ブロック１による砂防堰堤の構築方法について説明するが、最初に砂防用ブロック１の搬送方法について述べる。すなわち、砂防用ブロック１を吊り上げて砂防堰堤を構築して行く場合は、図７に示すように、砂防用ブロック１の円形穴５の内部に固着された吊り金具６をクレーン等の建設用機械で吊り上げて、順次、砂防堰堤の設置場所へ並べて行き、さらに、砂防用ブロック１を上段へと積み重ねて行く。このとき、前述したように、砂防用ブロック１を積み重ねたときに、下段の砂防用ブロック１の吊り金具６は上段の砂防用ブロック１の脚部３ａ，３ｂ，３ｃ，３ｄには当たらないようになっている。
【００３４】
図８は、砂防用ブロックを並設したときの平面図である。すなわち、図１に示すような形状の砂防用ブロック１を一面に並べるときは、隣り合う砂防用ブロック１の三角形状突部２ａ，２ｂ，２ｃ，２ｄが斜めに競り合う構造になっているので、図８に示すように各砂防用ブロック１は密着して敷設された平面構成となる。
【００３５】
次に、各砂防用ブロック１のそれぞれの隣接線上に上段の砂防用ブロック１の中心線が位置するように積み重ねるとき、上段の砂防用ブロック１の脚部３ａ，３ｂ，３ｃ，３ｄのうち、何れかの脚部を下段の砂防用ブロック１の角型凹部４に挿入して積み上げて行く。このときの積み上げ方法について図９を参照しながらさらに詳しく説明する。
【００３６】
図９は、砂防用ブロックを積み重ねる状態を示す説明図である。図９において、右図の砂防用ブロック１ａが下段の砂防用ブロックであって、左図の４個の砂防用ブロック１ｂ１，１ｂ２、１ｂ３，１ｂ４が上段に積み上げられる砂防用ブロック１の底面を示している。すなわち、図９に示すように、下段に設置された１個の砂防用ブロック１ａの表面側の角形凹部４には、上段の隣接する４個の砂防用ブロック１ｂ１，１ｂ２、１ｂ３，１ｂ４の何れかの脚部３ａ，３ｂ，３ｃ，３ｄが４個集中して挿入される。言い換えると、上段の砂防用ブロック１ｂ１の脚部３ａ、上段の砂防用ブロック１ｂ２の脚部３ｂ、上段の砂防用ブロック１ｂ３の脚部３ｃ、及び上段の砂防用ブロック１ｂ４の脚部３ｄが１箇所
に集中されて、下段の砂防用ブロック１ａの凹部４に挿入される。このようにして砂防用ブロック１を所望の高さまで上段へ積み重ねて行き、所望の高さの砂防堰堤を構築する。
【００３７】
図１０は、砂防用ブロックを積層したときの平面図、図１１は図１０の正面図、図１２は図１０のＡ−Ａ断面図である。すなわち、図１０乃至図１２に示すように、前述の手法で砂防用ブロック１を所望の高さまで積み上げて行くと所望の高さの砂防堰堤が構築される。斯くの如くして、任意の高さの砂防堰堤が、例えば、河川を横断するように敷設されることによって、流下する小石又は土砂を該砂防堰堤によって食い止めることができる。
【００３８】
図１３は、砂防用ブロックを備蓄した状態を示し、（ａ）は平面図、（ｂ）は正面図である。すなわち、砂防用ブロック１を現場周辺に備蓄する場合は、図１３（ａ）、（ｂ）に示すように、各砂防用ブロック１の三角形状突部２ａ，２ｂ，２ｃ，２ｄを斜めに競り合うにして配置することにより、多数の砂防用ブロック１をコンパクトに積み上げて備蓄することができる。このとき、上段の砂防用ブロックのそれぞれの脚部は、下段の砂防用ブロックの表面の天端に当接するように配置される。従って、河川の堤防や山間部の斜面などのように、平坦な場所が狭い現場であっても多数の砂防用ブロックを備蓄しておくことができる。
【００３９】
すなわち、本実施例の砂防用ブロックによれば、現場作業が省力化でき、且つ、無人化施工に対応できるように、砂防用ブロックに固着された吊り金具を1本吊りすることにより、多数の砂防用ブロックを容易に施工地点へ搬送して砂防堰堤を構築することができる。また、緊急時に移設できるように砂防用ブロックの備蓄が簡単にでき、且つ、持ち出しも容易である。さらに、砂防用ブロックの形状により、砂防堰堤の隣接する砂防用ブロックを、相互に、上下方向、前後方向、左右方向に強固に一体化させることができる。また、上段の４個の砂防用ブロックの脚部が１箇所に集中されて、下段の１個の砂防用ブロックの角形凹部に密に収納されるので、多数の砂防用ブロックを安定的に高く積み上げることも可能である。
【００４０】
本発明の砂防用ブロックの効果についてさらに詳細に説明すると、上下方向、前後方向、左右方向の各砂防用ブロックの噛み合せにより強固な一体性を確保することができるので、山脚固定、縦侵食防止、河床堆積物流出防止、土石流の抑制または抑止、流出土砂の抑制および調整などに有効な砂防堰堤を構築することができる。
【００４１】
また、上段の４個の砂防用ブロックが下段の１個の砂防用ブロックと強固に一体化されることにより、上下の砂防用ブロックの一体化だけではなく、左右前後方向の各砂防用ブロックの一体化をより強固なものとすることができる。さらに、前後左右の砂防用ブロックについては、平面方向にも摩擦力が大きくなるように競り合う構造となっているため、より強固な一体性を確保できるように砂防堰堤を構築することができる。このようにして、複数の砂防用ブロックの一体性を確保することにより、土石流や火山流の激しい流れに対して、複数の砂防用ブロックがブロック群として抵抗するため、下流への土石流や火山流の流出を抑制及び防止することができる。
【００４２】
また、砂防用ブロックを吊り金具によって1本吊りすることができるため、無人化施工に対応することができると共に、該砂防用ブロックの緊急搬出も可能となる。さらに、砂防用ブロックを1箇所で吊り上げることにより、無人化施工用のオートフックでの施工を行うことが可能となる。また、砂防用ブロックを施工現場の近隣に備蓄した状態から搬出する際の手間が省力化されるため、緊急時における砂防用ブロックの搬出も容易となる。
【００４３】
また、多数の砂防用ブロックをコンパクトに備蓄することができるので、山間部や狭い河川敷などにおいても、砂防用ブロックを備蓄しながら砂防堰堤を構築することができる
。さらに、上段の砂防用ブロックの脚部が下段の砂防用ブロックの天端に当たるように設置することで、噛み合せがないために備蓄状態からの搬出作業が行い易い。
【００４４】
以上、本発明に係る砂防用ブロックの一実施例について説明したが、本発明の砂防用ブロックは上記実施例に限定されるものでなく、本発明の精神を逸脱しない限り種々の改変を為すことができ、そして、本発明が該改変されたものに及ぶことは当然である。
【産業上の利用可能性】
【００４５】
本発明の砂防用ブロックは、備蓄、搬送が容易であると共に、強固な砂防堰堤を構築することができるので、河川やダムや火山流防止堰堤など様々な砂防施設において有効に利用することができる。
【符号の説明】
【００４６】
１，１ａ，１ｂ１，１ｂ２，１ｂ３，１ｂ４  砂防用ブロック
２ａ，２ｂ，２ｃ，２ｄ  三角形状突部
３ａ，３ｂ，３ｃ，３ｄ  脚部
４  角型凹部
５  円形穴
６  吊り金具
【図１】
0005393540.tif 000002
【図２】
0005393540.tif 000003
【図３】
0005393540.tif 000004
【図４】
0005393540.tif 000005
【図５】
0005393540.tif 000006
【図６】
0005393540.tif 000007
【図７】
0005393540.tif 000008
【図８】
0005393540.tif 000009
【図９】
0005393540.tif 000010
【図１０】
0005393540.tif 000011
【図１１】
0005393540.tif 000012
【図１２】
0005393540.tif 000013
【図１３】
0005393540.tif 000014